(57)【特許請求の範囲】
【請求項１】
操作部を内側に収容する開閉自在な開閉カバーと画像を表示する表示部を備えている携帯情報端末機において、
前記開閉カバーが、開位置にあるときに表示部に重なる位置に配置されているとともに、
前記開閉カバーの開閉を検出する開閉検出手段と、
前記表示部に画像信号を出力して表示部に画像を表示させるとともに、前記開閉検出手段から開閉検出信号が入力されて、開閉カバーが開いたことを示す開閉検出信号の入力によって表示部に出力する画像信号に画像を表示部の開位置にある開閉カバーと重ならない部分に表示させる信号処理を行って、この信号処理された画像信号による画像を表示部に表示する画像表示手段とを備え、
前記画像表示手段が、開閉検出手段から開閉カバーが開かれたことを示す開閉検出信号が入力されると、表示部に表示されている画像の大きさを圧縮する信号処理を画像信号に施す、
ことを特徴とする携帯情報端末機。
【請求項２】
前記画像の大きさを圧縮する信号処理が、画像表示のための走査線を減少させる信号処理である請求項１に記載の携帯情報端末機。
【請求項３】
前記画像表示手段が、開閉検出手段から開閉カバーが閉じられたことを示す開閉検出信号が入力されると、表示部に表示されている圧縮された画像をもとの大きさに復帰させる信号処理を画像信号に施す請求項１に記載の携帯情報端末機。
【請求項４】
操作部を内側に収容する開閉自在な開閉カバーと画像を表示する表示部を備えている携帯情報端末機において、
前記開閉カバーが、開位置にあるときに表示部に重なる位置に配置されているとともに、
前記開閉カバーの開閉を検出する開閉検出手段と、
前記表示部に画像信号を出力して表示部に画像を表示させるとともに、前記開閉検出手段から開閉検出信号が入力されて、開閉カバーが開いたことを示す開閉検出信号の入力によって表示部に出力する画像信号に画像を表示部の開位置にある開閉カバーと重ならない部分に表示させる信号処理を行って、この信号処理された画像信号による画像を表示部に表示する画像表示手段とを備え、
前記画像表示手段が、開閉検出手段から開閉カバーが開かれたことを示す開閉検出信号が入力されると、表示部に表示されている画像を表示部の開位置にある開閉カバーと重ならない位置にスクロールさせる信号処理を画像信号に施す、
ことを特徴とする携帯情報端末機。
【請求項５】
前記画像表示手段が、開閉検出手段から開閉カバーが閉じられたことを示す開閉検出信号が入力されると、表示部に表示されているスクロール位置にある画像をもとの位置にスクロールさせる信号処理を画像信号に施す請求項４に記載の携帯情報端末機。
【請求項６】
操作部を内側に収容する開閉自在な開閉カバーと画像を表示する表示部を備えている携帯情報端末機において、
前記開閉カバーが、開位置にあるときに表示部に重なる位置に配置されているとともに、
前記開閉カバーの開閉を検出する開閉検出手段と、
前記表示部に画像信号を出力して表示部に画像を表示させるとともに、前記開閉検出手段から開閉検出信号が入力されて、開閉カバーが開いたことを示す開閉検出信号の入力によって表示部に出力する画像信号に画像を表示部の開位置にある開閉カバーと重ならない部分に表示させる信号処理を行って、この信号処理された画像信号による画像を表示部に表示する画像表示手段とを備え、
前記画像表示手段が、開閉検出手段から開閉カバーが開かれたことを示す開閉検出信号が入力されると、表示部に表示されている画像のうち選択された任意の画像を所要の位置に移動させる信号処理を画像信号に施す、
ことを特徴とする携帯情報端末機。
【請求項７】
移動させる画像の前記選択が、表示部に取り付けられたタッチパネルによるタッチ位置の検出によって行われる請求項６に記載の携帯情報端末機。
【請求項８】
前記画像表示手段が、開閉検出手段から開閉カバーが閉じられたことを示す開閉検出信号が入力されると、表示部に表示されている移動位置にある選択された画像をもとの位置に移動させる信号処理を画像信号に施す請求項６に記載の携帯情報端末機。
【発明の詳細な説明】
【０００１】
【発明の属する技術分野】
この発明は、操作部を収容する開閉自在なカバーを備えた携帯情報端末機に関する。
【０００２】
【発明が解決しようとする課題】
従来、携帯電話機のなかには、電話番号の入力キーなどが配置されている操作部にこの操作部を内側に収容する開閉自在なカバーが取り付けられているものがある。
【０００３】
図７は、このような操作部のカバーを備えている従来の携帯電話機を示している。
この図７において、携帯電話機１の本体ケーシング２の表面の下半分の部分に、電話番号の入力キーや各種の機能ボタンなどが配置された操作部３が設けられている。
【０００４】
そして、本体ケーシング２の下端部に開閉カバー４が、その基端部を枢支されることによって、本体ケーシング２に対して開閉自在に取り付けられている。
【０００５】
なお、図７中、５は表示パネルであり、６はアンテナ，７はスピーカ，８はスイッチなどの操作レバーである。
【０００６】
この携帯電話機１は、その待機時には、開閉カバー４が本体ケーシング２に対して折り畳まれて、操作部３をその内側に収容するようになっている。
【０００７】
そして、送受信などのために操作部３の操作が必要になった場合には、開閉カバー４が本体ケーシング２から引き起こされて開かれることにより、操作部３が外部に露出される。
【０００８】
このような、操作部３を収容する開閉カバー４を備えた携帯電話機１は、開閉カバー４側にマイクロフォンや機能ボタンの一部を配置するなどによって、開閉カバー４が折り畳まれている状態において、開閉カバーを備えていない携帯電話機と比べて外形寸法をコンパクトにすることが出来るとともに、待機時に、操作部３が折り畳まれた開閉カバー４の内側に収容されて外部に露出されないので、入力キー等が保護されるとともに、操作部３が誤って押圧されて誤動作が発生するのが防止されるという利点を有している。
【０００９】
しかしながら、上記のような従来の携帯電話機１においては、開閉カバー４が開かれた際に、図７から分かるように、この開閉カバー４が本体ケーシング２の外側に張り出して、外形形状が大きくなってしまうという問題を有している。
【００１０】
特に、近年、携帯電話機の多機能化が進んで送受信される情報量が増大するのにともない、表示パネルを大きくして携帯電話機の操作性や利便性の向上を図る必要性が大きくなってきている。
【００１１】
このため、携帯電話機はその外形形状が大きくなりがちであるため、従来の携帯電話機のように、開閉カバーが開かれた際に、この開閉カバーが本体ケーシングから外側に張り出すと、携帯電話機の使用時の外形形状がさらに大きくなってしまい、携帯用として適さなくなってしまうという問題が生じてくる。
【００１２】
この発明は、上記のような従来の携帯電話機等の携帯情報端末機が有している問題点を解決するために為されたものである。
【００１３】
すなわち、この発明は、開閉カバーを備えた携帯情報端末機において、この開閉カバーが開かれた際にも外形形状が大きくなることがなく、しかも、良好な操作性と利便性が確保された携帯情報端末機を提供することを目的としている。
【００１４】
【課題を解決するための手段】
第１の発明による携帯情報端末機は、上記目的を達成するために、操作部を内側に収容する開閉自在な開閉カバーと画像を表示する表示部を備えている携帯情報端末機において、前記開閉カバーが、開位置にあるときに表示部に重なる位置に配置されているとともに、前記開閉カバーの開閉を検出する開閉検出手段と、
前記表示部に画像信号を出力して表示部に画像を表示させるとともに、前記開閉検出手段から開閉検出信号が入力されて、開閉カバーが開いたことを示す開閉検出信号の入力によって表示部に出力する画像信号に画像を表示部の開位置にある開閉カバーと重ならない部分に表示させる信号処理を行って、この信号処理された画像信号による画像を表示部に表示する画像表示手段とを備え、前記画像表示手段が、開閉検出手段から開閉カバーが開かれたことを示す開閉検出信号が入力されると、表示部に表示されている画像の大きさを圧縮する信号処理を画像信号に施すことを特徴としている。
【００１５】
この第１の発明による携帯情報端末機は、電話番号や電子メール、その他の画像が表示される表示部と、電話番号の入力やその他の情報の処理を行う操作部をその不使用時には内側に収容して保護する開閉自在な開閉カバーとを備えており、操作部の操作によって電話番号の入力やその他の情報の処理を行うときには、開閉カバーが開かれて、操作部が外部に露出される。
【００１６】
そして、この開閉カバーが開かれたことが開閉検出手段によって検出されて、この開閉検出手段から画像表示手段に開閉検出信号が入力されると、画像表示手段は、表示部に出力されてこの表示部に画像を表示させる画像信号に所要の信号処理を行って、表示部に表示されている画像を所要の態様に変更する。
【００１７】
これによって、開かれた開閉カバーに隠れて表示部の一部が見えなくなる場合に、表示部に表示されている画像の大きさを圧縮することによって画像をその全体が見える態様に変更したり、また、表示部に表示されている画像を所要の方向にスクロールすることによって画像の必要な部分が開閉カバーによって隠れない態様に変更したり、表示部に表示されている画像のうち所要の部分を表示部の所要の位置に移動させて開閉カバーによって隠れない態様に変更したりする。
【００１８】
以上のように、上記第１の発明によれば、操作部に取り付けられた開閉カバーが開かれた際に、この開閉カバーによって表示部に表示されている画像の一部が隠れてしまうような場合でも、画像表示手段によって表示部に表示されている画像が表示部の開位置にある開閉カバーと重ならない部分に表示される態様に変更されて画像による操作に支障が出ないようにされるので、携帯情報端末機の良好な操作性と利便性が確保されるとともに、これによって、携帯情報端末機の開閉カバーが、その開位置において表示部上に重なる位置に取り付けられている場合でも、開かれた開閉カバーが携帯情報端末機の外縁部から張り出して携帯情報端末機の外形形状を拡大させることがないようにすることが出来、そして、開かれた開閉カバーに隠れて表示部の一部が見えなくなる場合でも、大きさが圧縮された画像が表示部の開位置にある開閉カバーと重ならない部分に表示されることによって、携帯情報端末機の操作性と利便性が確保される。
【００２０】
第２の発明による携帯情報端末機は、前記目的を達成するために、第１の発明の構成に加えて、前記画像の大きさを圧縮する信号処理が、画像表示のための走査線を減少させる信号処理であることを特徴としており、これによって、圧縮された画像が表示部に表示される。
【００２１】
第３の発明による携帯情報端末機は、前記目的を達成するために、第１の発明の構成に加えて、前記画像表示手段が、開閉検出手段から開閉カバーが閉じられたことを示す開閉検出信号が入力されると、表示部に表示されている圧縮された画像をもとの大きさに復帰させる信号処理を画像信号に施すことを特徴としており、これによって、開閉カバーが閉じられて操作部による操作が行われないときには、表示部の全体にもとの画像が表示されるようになる。
【００２３】
第４の発明による携帯情報端末機は、前記目的を達成するために、操作部を内側に収容する開閉自在な開閉カバーと画像を表示する表示部を備えている携帯情報端末機において、前記開閉カバーが、開位置にあるときに表示部に重なる位置に配置されているとともに、前記開閉カバーの開閉を検出する開閉検出手段と、前記表示部に画像信号を出力して表示部に画像を表示させるとともに、前記開閉検出手段から開閉検出信号が入力されて、開閉カバーが開いたことを示す開閉検出信号の入力によって表示部に出力する画像信号に画像を表示部の開位置にある開閉カバーと重ならない部分に表示させる信号処理を行って、この信号処理された画像信号による画像を表示部に表示する画像表示手段とを備え、前記画像表示手段が、開閉検出手段から開閉カバーが開かれたことを示す開閉検出信号が入力されると、表示部に表示されている画像を表示部の開位置にある開閉カバーと重ならない位置にスクロールさせる信号処理を画像信号に施すことを特徴としており、これによって、開かれた開閉カバーに隠れて表示部の一部が見えなくなる場合でも、表示されている画像が所要の方向にスクロールされて、必要な部分の画像が表示部の開位置にある開閉カバーと重ならない部分に表示されることにより、携帯情報端末機の操作性と利便性が確保される。
【００２４】
第５の発明による携帯情報端末機は、前記目的を達成するために、第４の発明の構成に加えて、前記画像表示手段が、開閉検出手段から開閉カバーが閉じられたことを示す開閉検出信号が入力されると、表示部に表示されているスクロール位置にある画像をもとの位置にスクロールさせる信号処理を画像信号に施すことを特徴としており、これによって、開閉カバーが閉じられて操作部による操作が行われないときには、表示部の全体にもとの画像が表示されるようになる。
【００２６】
第６の発明による携帯情報端末機は、前記目的を達成するために、操作部を内側に収容する開閉自在な開閉カバーと画像を表示する表示部を備えている携帯情報端末機において、前記開閉カバーが、開位置にあるときに表示部に重なる位置に配置されているとともに、前記開閉カバーの開閉を検出する開閉検出手段と、前記表示部に画像信号を出力して表示部に画像を表示させるとともに、前記開閉検出手段から開閉検出信号が入力されて、開閉カバーが開いたことを示す開閉検出信号の入力によって表示部に出力する画像信号に画像を表示部の開位置にある開閉カバーと重ならない部分に表示させる信号処理を行って、この信号処理された画像信号による画像を表示部に表示する画像表示手段とを備え、前記画像表示手段が、開閉検出手段から開閉カバーが開かれたことを示す開閉検出信号が入力されると、表示部に表示されている画像のうち選択された任意の画像を所要の位置に移動させる信号処理を画像信号に施すことを特徴としており、これによって、開かれた開閉カバーに隠れて表示部の一部が見えなくなるような場合でも、表示されている画像のうち必要な部分の画像が表示部の開位置にある開閉カバーと重ならない部分に移動されることによって、携帯情報端末機の操作性と利便性が確保される。
【００２７】
第７の発明による携帯情報端末機は、前記目的を達成するために、第６の発明の構成に加えて、移動させる画像の前記選択が、表示部に取り付けられたタッチパネルによるタッチ位置の検出によって行われることを特徴としており、これによって、ユーザは、表示部に取り付けられたタッチパネルの所望の画像が表示されている位置に対応する部分をタッチするだけで、移動させる画像部分を選択して、開閉カバーが開かれた際に、表示部の所要の位置に移動させることが出来る。
【００２８】
第８の発明による携帯情報端末機は、前記目的を達成するために、第６の発明の構成に加えて、前記画像表示手段が、開閉検出手段から開閉カバーが閉じられたことを示す開閉検出信号が入力されると、表示部に表示されている移動位置にある選択された画像をもとの位置に移動させる信号処理を画像信号に施すことを特徴としており、これによって、開閉カバーが閉じられて操作部による操作が行われないときには、移動されていた画像が表示部のもとの位置に表示されるようになる。
【００３０】
【発明の実施の形態】
以下、この発明の最も好適と思われる実施の形態について、図面を参照しながら詳細に説明を行う。
【００３１】
図１は、この発明による携帯電話機の待機状態の形態を示す正面図であり、図２は、この携帯電話機の操作時の形態を示す正面図である。
この図１および２において、携帯電話機１０は、本体ケーシング１１の表面の中央部にディスプレイパネル１２が配置され、さらに、このディスプレイパネル１２の下方部分に、開閉カバー１３が取り付けられている。
【００３２】
この開閉カバー１３は、その上端部がディスプレイパネル１２の下端縁と平行な軸１３Ａによって、本体ケーシング１１に対して上下方向に回動自在に取り付けられている。
【００３３】
そして、本体ケーシング１１の開閉カバー１３によってカバーされる部分には、操作盤１４が取り付けられていて、図２に示されるように、この操作盤１４の表面に、電話番号の入力キーや機能キーなどの第１操作キーＫ１が配置されており、開閉カバー１３の背面（開位置にあるときに表側となる面）側に第２操作キーＫ２が配置されている。
【００３４】
なお、図１および２中、１８はＣＣＤカメラであり、１９はディスプレイパネル１２の表示画面の切り替え等の操作を行うジョグダイヤルである。
【００３５】
上記携帯電話機１０は、図１に示されるように開閉カバー１３が閉じられている状態から、図２に示されるように開閉カバー１３が開かれて操作盤１４の操作面が開放された場合でも、開閉カバー１３が上方に開かれてディスプレイパネル１２上に展開されて本体ケーシング１１の周縁部から外側に張り出すことがないので、携帯電話機１０の外形形状が拡大されることはない。
【００３６】
図３は、この携帯電話機１０の制御部の構成の一例を示すブロック図である。
この図３において、携帯電話機１０の本体ケーシング１１に取り付けられたアンテナ２０には、送受信回路２１、および、この送受信回路２１に受信された画像信号および音声信号のクロック制御を行うとともに後述するＣＰＵとのインターフェイスとして機能するデータ処理回路２２，高速演算処理型マイクロプロセッサであるＤＳＰ（Digital Signal Processor）２３が順次接続されている。
【００３７】
このＤＳＰ２３には、音声コーデック２４が接続され、この音声コーデック２４にマイク２５およびリンガ２６が接続され、さらに、変調送信回路２７および受信復調回路２８を介してスピーカ２９が接続されている。
【００３８】
このデータ処理回路２２およびＤＳＰ２３には、ＣＰＵ３０が接続されている。
【００３９】
そして、このＣＰＵ３０には、ディスプレイパネル１２がＬＣＤドライバ３１を介して接続され、ＣＣＤカメラ１８が信号処理回路３２を介して接続され、開閉カバー１３の開閉部に取り付けられてこの開閉カバー１３の開閉状態を検出する開閉検出センサ３３およびディスプレイパネル１２に取り付けられたタッチパネル３４が接続され、パーソナルコンピュータ等に接続されてこのパーソナルコンピュータ等との間で各種データの授受を行うコネクタ３５が外部Ｉ／Ｆ３６を介して接続され、さらに、ユーザが入力する短縮ダイヤル等の各種個人データが記録されるＳＲＡＭ３７および携帯電話機の各種制御プログラムが記録されているＲＯＭ３８，機能キーや電話番号入力のためのテンキー等の各種操作キーが含まれる第１操作キーＫ１および第２操作キーＫ２，ジョグダイヤル１９がそれぞれ接続されている。
【００４０】
この携帯電話機１０の制御部において、アンテナ２０によって送受信回路２１に受信された無線波は、次のデータ処理回路２２において画像信号と音声信号に分離されてＣＰＵ３０からの指令に基づいてそれぞれクロック制御を受けながら、画像信号がＣＰＵ３０に出力され、音声信号がＤＳＰ２３に出力される。
【００４１】
ＤＳＰ２３に入力された音声信号は、このＤＳＰ２３において音声処理された後、音声コーデック２４に入力されてＤ／Ａ変換され、変調送信回路２７および受信復調回路２８を介してスピーカ２９に出力され、また、リンガ２６に出力される。
【００４２】
また、マイク２５から入力される音声信号は、音声コーデック２４によってＡ／Ｄ変換された後、ＤＳＰ２３およびデータ処理回路２２，送受信回路２１を介してアンテナ２０から発信される。
【００４３】
ＣＰＵ３０は、ＲＯＭ３８に記録された携帯電話機の各種制御プログラムによって、データ処理回路２２およびＤＳＰ２３,ＬＣＤドライバ３１等の作動制御を統括する。
【００４４】
すなわち、ＣＰＵ３０は、第１操作キーＫ１または第２操作キーＫ２の操作キーからの操作信号に基づいて、ＲＯＭ３８から操作信号に対応する制御プログラムを読み出し、この読み出した制御プログラムに基づいて、操作画面の画像データをＬＣＤドライバ３１に出力してディスプレイパネル１２に操作画面を表示させるとともに、データ処理回路２２とＤＳＰ２３の作動制御、および、ＳＲＡＭ３７へのデータの書き込みやそのデータの読み出し、コネクタ３５が接続されたパーソナルコンピュータ等との間でのデータの授受等を行う。
【００４５】
さらに、ＣＰＵ３０は、ジョグダイヤル１９による表示画面の切り替え操作があったときには、ＲＯＭ３８から読み出した対応する画像データをＬＣＤドライバ３１に出力して、ディスプレイパネル１２に表示される画面の切替を行う。
【００４６】
またさらに、ＣＰＵ３０は、ＣＣＤカメラ１８による撮影が行われる際には、信号処理回路３２によって信号処理されたＣＣＤカメラ１８からの映像信号が入力されて、この映像信号をＬＣＤドライバ３１に出力することにより、ディスプレイパネル１２に撮影映像を表示させる。
【００４７】
ここで、この携帯電話機１０は、前述したように、開閉カバー１３が上方に開かれてディスプレイパネル１２上に展開されるようになっているために、ディスプレイパネル１２の下部部分が開位置にある開閉カバー１３によって隠されてしまい、そのままでは、ディスプレイパネル１２に表示されている画面の一部が見えなくなってしまうという不都合が生じる。
【００４８】
そこで、携帯電話機１０は、上記制御部のＲＯＭ３８に、以下に説明するような画面処理プログラムを備えており、開閉カバー１３が開かれたことが開閉検出センサ３３によって検出されると、ＣＰＵ３０が、ＲＯＭ３８から読み出された画面処理プログラムに基づいて、ディスプレイパネル１２に表示される画面の全てまたは必要な部分が見えるように、以下のような処理を行うようになっている。
【００４９】
すなわち、ＣＰＵ３０は、開閉検出センサ３３によって開閉カバー１３が開かれたことが検出されると、この開閉検出センサ３３から入力される検出信号に基づいて、ディスプレイパネル１２に表示される画像が、図４（ａ）に示される開閉カバー１３が閉じられているときの画像Ｇ１と比べて図４（ｂ）に示されるように上方向に圧縮された画像Ｇ１’になるように、ＬＣＤドライバ３１に出力する画像信号の信号処理を行う。
【００５０】
これによって、画面の開閉カバー１３が開かれたときに隠れてしまう部分がブランクｂとなって、ディスプレイパネル１２に表示される画像が開閉カバー１３によって隠されてしまうのが回避される。
【００５１】
この画像の圧縮は、例えば、画像Ｇ１の走査線の数を、ディスプレイパネル１２の圧縮された画像が表示される表示スペースの垂直方向の画素数に対応して減少させる（間引く）等の方法によって行われる。
【００５２】
なお、ＣＰＵ３０は、開閉検出センサ３３によって開閉カバー１３が閉じられたことが検出されると、この開閉検出センサ３３から入力される検出信号に基づいて、ディスプレイパネル１２に表示されている圧縮された図４（ｂ）の画像Ｇ１’を、図４（ａ）のもとの画像Ｇ１に復帰させる。
【００５３】
また、第１操作キーＫ１または第２操作キーＫ２の操作の際に、例えば、ディスプレイパネル１２に表示されている図５（ａ）の画像Ｇ１のうち、画面の下部部分に表示されているＡの画像のみが必要な場合には、ＣＰＵ３０は、開閉検出センサ３３から開閉カバー１３が開かれたことを検出する検出信号が入力されると、図５（ｂ）に示されるように、画像Ｇ１を上方向にスクロールさせて、画像Ｇ１のうちＡの画像が含まれた一部の画像Ｇ１”をディスプレイパネル１２に表示させるようにする。
【００５４】
なお、ＣＰＵ３０は、開閉検出センサ３３によって開閉カバー１３が閉じられたことが検出されると、この開閉検出センサ３３から入力される検出信号に基づいて、ディスプレイパネル１２に表示されているスクロール位置にある図５（ｂ）の画像Ｇ１”を、図５（ａ）のもとの画像Ｇ１の位置に復帰させる。
【００５５】
また、第１操作キーＫ１または第２操作キーＫ２の操作の際に、ディスプレイパネル１２上に表示されている所望の文字や画像を見えるようにしておきたいとき、例えば、図６（ａ）に示されるように、ディスプレイパネル１２の開閉カバー１３が開かれたときに隠れる部分にＣＣＤカメラ１８によって撮影された画像や他の端末機から送られてきた写真や文字等（図示の例では、ＡＢＣＤの文字）が表示されていて、開閉カバー１３が開かれたときにもこの写真や文字等が見えるようにしておきたいときには、携帯電話機１０のユーザは、開閉カバー１３が開かれたときにも見えるようにしておきたい写真や文字等（この場合は、ＡＢＣＤの文字）を、開閉カバー１３を開く前にタッチしておく。
【００５６】
この選択操作によって、ディスプレイパネル１２上のタッチ位置、すなわち、所望の写真や文字が表示されている位置が、このディスプレイパネル１２上に取り付けられているタッチパネル３４（図３参照）によって検出され、ＣＰＵ３０は、このタッチパネル３４から入力されるタッチ位置検出信号に基づいて、開閉検出センサ３３から開閉カバー１３が開かれたことを検出する検出信号が入力された際に、タッチ位置検出信号が示す位置にある写真や文字等（この場合は、ＡＢＣＤの文字）を、図６（ｂ）に示されるように、ディスプレイパネル１２の開閉カバー１３が開かれた際にこの開閉カバー１３によって隠れない部分に移動させる。
【００５７】
なお、ＣＰＵ３０は、開閉検出センサ３３によって開閉カバー１３が閉じられたことが検出されると、この開閉検出センサ３３から入力される検出信号に基づいて、ディスプレイパネル１２に表示されている移動位置にある図６（ｂ）の文字を、図６（ａ）のもとの位置に復帰させる。
【図面の簡単な説明】
【図１】この発明の実施形態における一例を開閉カバーが閉じられた状態で示す正面図である。
【図２】同例を開閉カバーが開かれた状態で示す正面図である。
【図３】同例の制御部を示すブロック図である。
【図４】同例における画像の処理の一例を示す説明図である。
【図５】同例における画像の処理の他の例を示す説明図である。
【図６】同例における画像の処理のさらに他の例を示す説明図である。
【図７】従来例を示す斜視図である。
【符号の説明】
１０    …携帯電話機（携帯情報端末機）
１１    …本体ケーシング
１２    …ディスプレイパネル（表示部）
１３    …開閉カバー
１３Ａ  …軸
１４    …操作盤
１８    …ＣＣＤカメラ
１９    …ジョグダイヤル
３０    …ＣＰＵ（画像表示手段）
３３    …開閉検出センサ（開閉検出手段）
３４    …タッチパネル
３８    …ＲＯＭ（画像表示手段）
Ｋ１    …第１操作ボタン（操作部）
Ｋ２    …第２操作ボタン（操作部）
【図１】
0003942808.tif 000002
【図２】
0003942808.tif 000003
【図３】
0003942808.tif 000004
【図４】
0003942808.tif 000005
【図５】
0003942808.tif 000006
【図６】
0003942808.tif 000007
【図７】
0003942808.tif 000008